(57)【要約】【課題】指向性マイクロホンを内蔵したマイクロホン構造体を装置の筐体部に一定範囲内で回転させることができるように支持した場合に、指向性マイクロホンの後方側からもマイクロホン構造体内に音波を確実に導入できるようにする。【解決手段】マイクロホン構造体６０は、指向性マイクロホンを内蔵したもので、前方側の外周面に前方側透孔６３Ｃを形成し、後方側の外周面に後方側透孔６５Ｃを形成する。このマイクロホン構造体６０をフロントカバー１１およびリアケース１２からなる筐体部内の支持ベースに回転可能に支持する。図のように指向性マイクロホンの指向性方向を正面方向に向けたとき、後方側透孔６５Ｃの一部がリアケース１２の上方において外部に露出するとともに、透孔形成面６６とリアケース１２の上部前面１２ａとの間に間隙１８が形成される。指向性マイクロホンの指向性方向を上方向に向けたときにも、同様となる。【選択図】        図１０
2004254074.tif 000002
【特許請求の範囲】
【請求項１】
指向性を有するマイクロホンが内蔵され、この指向性マイクロホンを挟んで対向する周面に、それぞれ音波導入用の前方側透孔および後方側透孔が形成された筒状のマイクロホン構造体と、このマイクロホン構造体を一定範囲内で回転させることができるように支持した筐体部とを備え、前記マイクロホン構造体の前記後方側透孔が形成された面と前記筐体部との間に、前記筐体部の外部と通じる音波導入用の間隙が形成されたマイクロホン装置。
【請求項２】
請求項１のマイクロホン装置において、
前記マイクロホン構造体に前記指向性マイクロホンのほかに２個の無指向性マイクロホンが内蔵されたマイクロホン装置。
【請求項３】
請求項１のマイクロホン装置を備える音声記録再生装置。
【請求項４】
請求項２のマイクロホン装置を備え、前記指向性マイクロホンからの音声信号を記録するモードと前記２個の無指向性マイクロホンからの音声信号を記録するモードとに切り替え可能な音声記録再生装置。
【発明の詳細な説明】
【０００１】
【発明の属する技術分野】
この発明は、マイクロホンからの音声信号をＩＣ（集積回路）メモリに記録する、いわゆるＩＣレコーダなどの音声記録再生装置などに用いられるマイクロホン装置、および、マイクロホン装置を備えるＩＣレコーダなどの音声記録再生装置に関する。
【０００２】
【従来の技術】
ＩＣレコーダは、従来、図１３（Ａ）に示すように、無指向性のマイクロホン１が正面に向けて取り付けられ、あるいは、図１３（Ｂ）に示すように、無指向性のマイクロホン１が上方に向けて取り付けられた構成とされる。
【０００３】
しかし、このように無指向性のマイクロホンを一方向に向けたのでは、狙った方向の音源、特に遠い音源からの音声をクリアに記録することができない。
【０００４】
そこで、単一指向性を有するマイクロホンを、外部マイクロホンとしてＩＣレコーダに装着し、ある範囲内で回転させることができるマイクロホン装置が考えられている。
【０００５】
具体的に、特許文献１（特開２０００−１１５８７５公報）には、図１４にマイクロホン装置３として示すように、指向性マイクロホン３ａ、その支持部材３ｃ、および携帯型の音声記録再生装置２に差し込まれるプラグ３ｂによって構成され、指向性マイクロホン３ａの指向性方向が矢印４ａの方向となる回転位置から、指向性マイクロホン３ａの指向性方向が矢印４ｂの方向となる回転位置まで、指向性マイクロホン３ａを支持部材３ｃの軸３ｄの回りに９０度回転させることができるマイクロホン装置が示されている。
【０００６】
【特許文献１】
特開２０００−１１５８７５公報。
【０００７】
【発明が解決しようとする課題】
しかしながら、図１４に示したように指向性マイクロホン３ａを外部マイクロホンとして構成すると、使用の都度、いちいちマイクロホン装置３を音声記録再生装置２に装着しなければならず、不便であり、一定範囲内で回転させることができる指向性マイクロホンを、音声記録再生装置などの装置に常備することが、望ましい。
【０００８】
そこで、図１５（Ａ）に示すように、音声記録再生装置の装置本体５の、例えば上部に、指向性マイクロホン６を内蔵した筒状のマイクロホン構造体７が配置される、前面５ａおよび上面５ｂを有する凹部を形成し、この凹部にマイクロホン構造体７を軸７ａ，７ｂによって回転可能に支持することが考えられる。
【０００９】
しかし、この場合、指向性マイクロホン６を指向性を有するマイクロホンとして機能させるためには、図１５（Ｂ）（Ｃ）に示すように、マイクロホン構造体７の指向性マイクロホン６を挟んで対向する周面に前方側透孔８ａおよび後方側透孔８ｂを形成する必要があり、しかも、前方側透孔８ａおよび後方側透孔８ｂを通じて指向性マイクロホン６に音波が導入される必要がある。
【００１０】
しかしながら、この場合、指向性マイクロホン６の指向性方向を図１５（Ｂ）の矢印９ａで示す装置の正面方向にしたときには、後方側透孔８ｂが装置本体５の上部前面５ａで塞がれてしまって、後方側透孔８ｂから音波が導入されなくなり、指向性マイクロホン６の指向性方向を図１５（Ｃ）の矢印９ｂで示す装置の上方向にしたときには、後方側透孔８ｂが装置本体５の上部上面５ｂで塞がれてしまって、後方側透孔８ｂから音波が導入されなくなる可能性がある。
【００１１】
そこで、この発明は、指向性マイクロホンを内蔵したマイクロホン構造体を装置の筐体部に一定範囲内で回転させることができるように支持して、指向性マイクロホンの指向性方向を一定範囲内で変更することができるようにした場合に、指向性マイクロホンの後方側からもマイクロホン構造体内に音波を確実に導入することができ、指向性マイクロホンを確実に指向性を有するマイクロホンとして機能させることができるようにしたものである。
【００１２】
【課題を解決するための手段】
この発明のマイクロホン装置は、
指向性を有するマイクロホンが内蔵され、この指向性マイクロホンを挟んで対向する周面に、それぞれ音波導入用の前方側透孔および後方側透孔が形成された筒状のマイクロホン構造体と、このマイクロホン構造体を一定範囲内で回転させることができるように支持した筐体部とを備え、前記マイクロホン構造体の前記後方側透孔が形成された面と前記筐体部との間に、前記筐体部の外部と通じる音波導入用の間隙が形成されたものである。
【００１３】
上記のように構成した、この発明のマイクロホン装置では、後方側透孔が音波導入用の間隙を介して筐体部の外部と通じることによって、指向性マイクロホンの後方側からもマイクロホン構造体内に音波が確実に導入され、指向性マイクロホンは確実に指向性を有するマイクロホンとして機能する。
【００１４】
【発明の実施の形態】
〔音声記録再生装置の一例としてのＩＣレコーダの概略：図１〕
図１は、この発明の音声記録再生装置の一例としてのＩＣレコーダの外観構成を示し、図１（Ａ）は、後述の指向性マイクロホンの指向性方向をＩＣレコーダ１０の矢印９ａで示す正面方向とした場合であり、図１（Ｂ）は、指向性マイクロホンの指向性方向をＩＣレコーダ１０の矢印９ｂで示す上方向とした場合である。以下では、矢印９ａの方向を０度方向、矢印９ｂの方向を９０度方向とする。
【００１５】
ＩＣレコーダ１０は、筐体としてフロントカバー１１およびリアケース１２を備え、上部にマイクロホン装置５０が設けられる。
【００１６】
フロントカバー１１の正面部には、ＬＣＤ（液晶ディスプレイ）の画面が臨む窓１３、スピーカからの音波が放射される孔１４、記録モードであるか再生モードであるかを示すＬＥＤ（発光ダイオード）からの光が出射する窓２１、指向性マイクロホンのオン（入）／オフ（切）を切り替える指向性オンオフスイッチ２２、消去ボタン２３などが設けられ、リアケース１２の正面から見て右側の側面には、金属側板１５が取り付けられるとともに、録音／録音一時停止ボタン２４、停止ボタン２５、メニューボタン２６、音量調整ボタン２７などが設けられ、リアケース１２の上面には、イヤホンジャック２８および外部マイクロホンジャック２９が設けられる。
【００１７】
メニューボタン２６は、中央部を押すことによって、ＬＣＤ画面上にメニューを開き、またはメニュー項目を決定し、上部または下部を押し、あるいは前方側または後方側に傾けることによって、メニュー項目の選択などの操作を行うことができるものである。
【００１８】
マイクロホン装置５０は、以下に示すように、円筒状のマイクロホン構造体６０が支持ベースに回転可能に支持されて構成される。
【００１９】
〔マイクロホン装置の一例：図２〜図１１〕
図２に、図１に示したマイクロホン装置５０の一例を、各構成部品を分解した状態で示す。図示するように、マイクロホン装置５０は、全体としてマイクロホン構造体６０と支持ベース７０によって構成され、マイクロホン構造体６０は、指向性マイクロホン６１Ｃ、左側マイクロホン６１Ｌ、右側マイクロホン６１Ｒ、フレキシブル基板６２、フロントカバー６３、ゴムクッション６４、リアケース６５、ビス６７、板ばね６８、およびビス６９によって構成される。
【００２０】
指向性マイクロホン６１Ｃは、単一指向性を有するマイクロホンであり、左側マイクロホン６１Ｌおよび右側マイクロホン６１Ｒは、それぞれ無指向性のマイクロホンである。なお、左側とは、リアケース６５から見て左側であり、右側とは、リアケース６５から見て右側である。
【００２１】
指向性マイクロホン６１Ｃ、左側マイクロホン６１Ｌおよび右側マイクロホン６１Ｒは、指向性マイクロホン６１Ｃを中央に一列に配列されて、フレキシブル基板６２に実装されるとともに、それぞれゴムクッション６４の孔が形成された凹部に装着されて、一体化される。
【００２２】
フロントカバー６３は、半円筒状のもので、一端に半円柱状の支軸６３ａが形成され、他端に半円状の切り欠き６３ｂが形成され、指向性マイクロホン６１Ｃと対向する中央部の外周面が微細な凹凸面６３ｃとされ、その中央の３行３列に渡る９個の凸部に、それぞれ前方側透孔６３Ｃが形成され、左側マイクロホン６１Ｌと対向する一端部および右側マイクロホン６１Ｒと対向する他端部に、それぞれ透孔６３Ｌおよび６３Ｒが９個ずつ形成される。
【００２３】
リアケース６５も、半円筒状のもので、一端に半円柱状の支軸６５ａが形成され、他端に半環状の軸部６５ｂが形成され、指向性マイクロホン６１Ｃと対向する中央部の外周面の、中央の透孔形成面６６を除く部分が微細な凹凸面６５ｃとされ、中央の透孔形成面６６が凹凸面６５ｃの凸部より凹んだ平面とされ、この透孔形成面６６に後方側透孔６５Ｃが３行３列に渡って９個形成される。
【００２４】
フロントカバー６３、ゴムクッション６４、マイクロホン６１Ｃ，６１Ｌ，６１Ｒ、フレキシブル基板６２およびリアケース６５は、ビス６７がリアケース６５、フレキシブル基板６２およびゴムクッション６４のビス孔を通じてフロントカバー６３に締め付けられることによって、マイクロホン構造体６０として一体化され、その一端の支軸６３ａ，６５ａおよび他端の軸部６５ｂが、支持ベース７０の一端の支持アーム７１および他端の支持アーム７２に嵌め込まれる。
【００２５】
板ばね６８は、この状態でビス６９によってリアケース６５の他端に取り付けられるもので、これには、リアケース６５の軸部６５ｂが挿入される半環状の孔６８ｄが形成され、ビス孔を介して対向する周縁位置に突片６８ａおよび６８ｂが形成されるとともに、突片６８ｂの近傍位置に突起６８ｃが形成される。
【００２６】
支持ベース７０は、支持アーム７１および７２を有するとともに、ビスによって図１に示したＩＣレコーダ１０のリアケース１２に固定するための取付部７３および７４を有するものとして形成され、上記のように支持アーム７１，７２にマイクロホン構造体６０が支持される。
【００２７】
フレキシブル基板６２は、図３、図４および図５に示すように、マイクロホン６１Ｌ，６１Ｃ，６１Ｒの配列方向に沿うリード部６２ａ、このリード部６２ａに対して垂直な方向に延長するリード部６２ｂ、このリード部６２ｂに対して垂直な方向（リード部６２ａと平行な方向）に延長するリード部６２ｃ、このリード部６２ｃに対して垂直な方向（リード部６２ｂと平行な方向）に延長するリード部６２ｄ、および接点部６２ｅを有するものとして、リード部６２ｂが十分長く形成される。
【００２８】
なお、マイクロホン６１Ｌ，６１Ｃ，６１Ｒは、それぞれ２本の端子ピンを有し、それぞれ一方の端子ピンがフレキシブル基板６２上の共通の配線パターンに接続され、それぞれ他方の端子ピンがフレキシブル基板６２上の別個の配線パターンに接続される。
【００２９】
そして、フロントカバー６３とリアケース６５が一体化されるとき、図３に示すように、リード部６２ａが、フロントカバー６３の支軸６３ａとリアケース６５の支軸６５ａとによって挟持され、リード部６２ｂが、その一体化された支軸６３ａ，６５ａの周面に、１周以上、望ましくは２周近く、巻回される。
【００３０】
さらに、図３および図４に示すように、リード部６２ｃが、両面接着テープなどによって支持ベース７０に固定され、図３および図５に示すように、リード部６２ｄが半円筒状に曲げられ、図５に示すように、接点部６２ｅが、図１に示したＩＣレコーダ１０のリアケース１２に取り付けられた回路基板１６に設けられたコネクタ１７に挿入接続される。
【００３１】
図６に示すように、支持アーム７１には、マイクロホン構造体６０の一体化された支軸６３ａ，６５ａの円周部の径と等しい径の中心孔７１ａ、および、この中心孔７１ａと通じる、一体化された支軸６３ａ，６５ａの非円周部の厚みと等しい幅のスリット７１ｂが形成され、マイクロホン構造体６０を前方側透孔６３Ｃが矢印９ａで示す０度方向に対して図３の矢印７５Ｌの方向に見て時計回り方向に４５度回転した−４５度方向に向く状態にして、一体化された支軸６３ａ，６５ａをスリット７１ｂを通じて中心孔７１ａに挿入する。支持アーム７２側についても、同様である。
【００３２】
これによって、マイクロホン構造体６０を、中心孔７１ａの中心を回転軸心として回転させることができ、前方側透孔６３Ｃが向く方向、すなわち指向性マイクロホン６１Ｃの指向性方向を、図７（Ａ）および図１（Ａ）のように矢印９ａで示す０度方向に向け、または図７（Ｂ）および図１（Ｂ）のように矢印９ｂで示す９０度方向に向けることができる。
【００３３】
さらに、この例では、図８および図９に示すように、支持アーム７２の側面に半環状の凸部７６が形成されて、凸部７６の一端が停止用段部７７ａとされ、支持アーム７２の側面に停止用凸部７７ｂが形成されるとともに、凸部７６に３つの凹部７８ａ，７８ｃおよび７８ｂが形成される。凹部７８ａと凹部７８ｃの角度、および凹部７８ｃと凹部７８ｂの角度は、それぞれ４５度であり、したがって、凹部７８ａと凹部７８ｂの角度は９０度である。
【００３４】
凹部７８ａは、マイクロホン構造体６０を、図９において（図３の矢印７５Ｒの方向に見て）反時計回り方向に、板ばね６８の突片６８ａが支持アーム７２の停止用段部７７ａに衝突する第１の回転位置まで回転させたとき、板ばね６８の図２に示した突起６８ｃが嵌合するものであり、このとき、図７（Ａ）および図１（Ａ）に示したように、指向性マイクロホン６１Ｃの指向性方向が０度方向となる。
【００３５】
凹部７８ｂは、マイクロホン構造体６０を、図９において（図３の矢印７５Ｒの方向に見て）時計回り方向に、板ばね６８の突片６８ｂが支持アーム７２の停止用凸部７７ｂに衝突する第２の回転位置まで回転させたとき、板ばね６８の突起６８ｃが嵌合するものであり、このとき、図７（Ｂ）および図１（Ｂ）に示したように、指向性マイクロホン６１Ｃの指向性方向が９０度方向となる。
【００３６】
凹部７８ｃは、マイクロホン構造体６０を第１の回転位置と第２の回転位置のちょうど中間の第３の回転位置に回転させたとき、板ばね６８の突起６８ｃが嵌合するものであり、このとき、指向性マイクロホン６１Ｃの指向性方向は４５度方向となる。
【００３７】
すなわち、この例では、マイクロホン構造体６０を第１の回転位置と第２の回転位置との間で９０度回転させることができ、指向性マイクロホン６１Ｃの指向性方向を０度方向と９０度方向との間で変えることができる。
【００３８】
しかも、円筒状のマイクロホン構造体６０の中央部は、微細な凹凸面６３ｃ，６５ｃとされるので、ユーザは、この凹凸面６３ｃ，６５ｃに親指を当ててマイクロホン構造体６０を回すことによって、指が滑ることなく確実かつ容易にマイクロホン構造体６０を回転させ、指向性マイクロホン６１Ｃの指向性方向を変えることができるとともに、マイクロホン構造体６０が第１、第３または第２の回転位置に回転したときには、突起６８ｃが凹部７８ａ，７８ｃまたは７８ｂに嵌合してクリック感が得られるので、ユーザは、指向性マイクロホン６１Ｃの指向性方向を所望の方向に容易かつ確実に設定することができる。
【００３９】
また、図１に示したＩＣレコーダ１０の、フロントカバー１１とリアケース１２が突き合わされる、矢印９ａで示す０度方向に見て右肩の部分内において、図３に示したように、フレキシブル基板６２のリード部６２ａが支軸６３ａ，６５ａ間に挟持され、リード部６２ｂが支軸６３ａ，６５ａの周面に１周以上巻回されるので、フレキシブル基板６２がＩＣレコーダ１０の外部に全く露出せず、装置の体裁が良くなるだけでなく、フレキシブル基板６２がマイクロホン６１Ｃ，６１Ｌ，６１Ｒなどの邪魔にならないとともに、リード部の収納部を最小化することができる。
【００４０】
さらに、マイクロホン構造体６０を指向性マイクロホン６１Ｃの指向性方向が０度方向となる第１の回転位置に向けて図９において（図３の矢印７５Ｒの方向に見て）反時計回り方向に回転させたときには、リード部６２ｂの巻回部が弛み、逆にマイクロホン構造体６０を指向性マイクロホン６１Ｃの指向性方向が９０度方向となる第２の回転位置に向けて図９において（図３の矢印７５Ｒの方向に見て）時計回り方向に回転させたときには、リード部６２ｂの巻回部が締められることによって、マイクロホン構造体６０の回転に伴うリード部６２ｂの弛みや引っ張りが巻回部で吸収されて、リード部６２ｂの絡まりや損傷切断などを生じることなく、マイクロホン構造体６０を回転させることができ、指向性マイクロホン６１Ｃの指向性方向を変えることができる。
【００４１】
図１０に、図１（Ａ）のようにマイクロホン構造体６０を第１の回転位置に回転させ、指向性マイクロホン６１Ｃの指向性方向を０度方向（ＩＣレコーダ１０の正面方向）とした場合の、ＩＣレコーダ１０の上面、上部正面および上部背面を示す。ビス１９は、ＩＣレコーダ１０のフロントカバー１１とリアケース１２を一体化するものである。
【００４２】
この場合、上部背面側では、透孔形成面６６に形成された後方側透孔６５Ｃの一部がリアケース１２の上方において外部に露出する（外部から見える）とともに、透孔形成面６６とリアケース１２の上部前面１２ａとの間に間隙１８が形成されるので、音波の伝播の上で後方側透孔６５Ｃが外部と通じて、後方側透孔６５Ｃから指向性マイクロホン６１Ｃに音波が導入され、指向性マイクロホン６１Ｃは単一指向性を有するマイクロホンとして機能する。
【００４３】
図１１に、図１（Ｂ）のようにマイクロホン構造体６０を第２の回転位置に回転させ、指向性マイクロホン６１Ｃの指向性方向を９０度方向（ＩＣレコーダ１０の上方向）とした場合の、ＩＣレコーダ１０の上面、上部正面および上部背面を示す。
【００４４】
この場合、上部正面側では、透孔形成面６６に形成された後方側透孔６５Ｃの一部がフロントカバー１１の上部上縁１１ａの上方において外部に露出する（外部から見える）とともに、透孔形成面６６とフロントカバー１１およびリアケース１２の上面との間に間隙が形成されるので、音波の伝播の上で後方側透孔６５Ｃが外部と通じて、後方側透孔６５Ｃから指向性マイクロホン６１Ｃに音波が導入され、指向性マイクロホン６１Ｃは単一指向性を有するマイクロホンとして機能する。
【００４５】
図では省略したが、マイクロホン構造体６０を第１の回転位置と第２の回転位置との間のいずれの回転位置に回転させたときにも、すなわち指向性マイクロホン６１Ｃの指向性方向を０度方向と９０度方向との間のいずれの方向にしたときにも、同様に後方側透孔６５Ｃが外部と通じて、後方側透孔６５Ｃから指向性マイクロホン６１Ｃに音波が導入され、指向性マイクロホン６１Ｃは単一指向性を有するマイクロホンとして機能する。
【００４６】
〔ＩＣレコーダの機能：図１２〕
図１〜図１１に示して上述した例のＩＣレコーダ１０は、図１２に示すように、ＣＰＵ９１を備え、そのバス９２に、ＣＰＵ９１が実行する処理プログラムや各種の固定データが書き込まれたＲＯＭ９３、ＣＰＵ９１のワークエリアなどとして機能するＲＡＭ９４、および内蔵メモリとしてのフラッシュメモリ９５が接続される。
【００４７】
また、図１、図１０および図１１に示した指向性オンオフスイッチ２２などを含む操作部９６が、入力インタフェース９７を介してバス９２に接続されるとともに、ＬＣＤ９９が、表示制御部９８を介してバス９２に接続される。
【００４８】
指向性マイクロホン６１Ｃ、左側マイクロホン６１Ｌおよび右側マイクロホン６１Ｒからの音声信号は、音声増幅回路８１Ｃ，８１Ｌおよび８１Ｒで増幅されて、記録処理部８２に供給される。記録処理部８２では、ＣＰＵ９１の制御によって、後述の各種の記録モードに応じて、マイクロホン６１Ｃ，６１Ｌ，６１Ｒからの音声信号が、デジタル音声データに変換され、圧縮される。圧縮された音声データは、フラッシュメモリ９５に記録される。
【００４９】
この例のＩＣレコーダ１０では、記録時、ユーザは、図１に示したメニューボタン２６の操作によってＬＣＤ９９上にメニュー画面を表示させ、記録モードとしてステレオ記録モードとモノラル記録モードのいずれかを選択することができる。
【００５０】
ステレオ記録モードでは、上記の指向性オンオフスイッチ２２がオンにされているかオフにされているかにかかわらず、指向性マイクロホン６１Ｃは機能しないで、無指向性のマイクロホン６１Ｌおよび６１Ｒのみが機能し、マイクロホン６１Ｌ，６１Ｒからの音声信号が、移相処理されて、左右の音声信号として、デジタル音声データに変換され、圧縮された後、フラッシュメモリ９５に記録される。
【００５１】
一方、モノラル記録モードでは、メニュー画面によって、高音質の記録が可能なＳＰモードと長時間の記録が可能なＬＰモードのいずれかを選択することができ、さらに、ＳＰモードとＬＰモードのいずれを選択した場合にも、指向性オンオフスイッチ２２をオンにするかオフにするかによって、指向性モードと無指向性モードのいずれかを選択することができる。
【００５２】
ＳＰモードまたはＬＰモードで、指向性オンオフスイッチ２２をオンして指向性モードを選択したときには、無指向性のマイクロホン６１Ｌおよび６１Ｒは機能しないで、指向性マイクロホン６１Ｃのみが機能し、指向性マイクロホン６１Ｃからの音声信号が、モノラル音声信号として、ＳＰモードであるかＬＰモードであるかに応じて、デジタル音声データに変換され、圧縮された後、フラッシュメモリ９５に記録される。このとき、上述したように指向性マイクロホン６１Ｃの指向性方向を選択することができる。
【００５３】
ＳＰモードまたはＬＰモードで、指向性オンオフスイッチ２２をオフして無指向性モードを選択したときには、指向性マイクロホン６１Ｃは機能しないで、無指向性のマイクロホン６１Ｌおよび６１Ｒのみが機能し、マイクロホン６１Ｌおよび６１Ｒからの音声信号が、モノラル音声信号として合成されて、ＳＰモードであるかＬＰモードであるかに応じて、デジタル音声データに変換され、圧縮された後、フラッシュメモリ９５に記録される。
【００５４】
なお、録音レベルは、いずれの記録モードでも、メニュー画面によって、低レベル、中レベル、高レベルのうちのいずれかに切り替えることができる。
【００５５】
再生時には、ＣＰＵ９１の制御によって、フラッシュメモリ９５から圧縮された音声データが読み出され、その音声データが、再生処理部８３で伸長され、さらにアナログ音声信号に変換される。
【００５６】
この場合、モノラル記録モードで記録された音声信号については、ＳＰモードかＬＰモードかにかかわらず、かつ指向性モードか無指向性モードかにかかわらず、そのモノラル音声信号が、音声増幅回路８４で増幅されてスピーカ８５に供給され、または、音声増幅回路８６Ｌおよび８６Ｒで増幅されて、図１、図１０および図１１に示したイヤホンジャック２８に接続されたイヤホン８７に供給される。
【００５７】
一方、ステレオ記録モードで記録された音声信号については、その左右の音声信号が、音声増幅回路８６Ｌ，８６Ｒで増幅され、ユーザは、イヤホンジャック２８にイヤホン８７を接続することによって、ステレオ音声として聞くことができる。
【００５８】
この例によれば、一方で、指向性マイクロホン６１Ｃをオンとし、その指向性方向を音源の方向に向けることによって、音源からの音声をクリアに記録することができるとともに、他方で、左右のマイクロホン６１Ｌ，６１Ｒによって、臨場感のある録音を行うことができる。
【００５９】
〔他の実施形態〕
上述した例は、透孔形成面６６を凹凸面６５ｃの凸部より凹んだ平面とすることによって、音波を導入するのに十分な間隙を形成する場合であるが、後方側透孔６５Ｃが対向するリアケース上部前面１２ａやフロントカバー上部上縁１１ａに凹部を設けて、音波を導入するのに十分な間隙を形成してもよい。
【００６０】
上述した例は、マイクロホン構造体６０を３方向の回転位置のいずれかに回転させたときクリック感が得られるように装置を構成した場合であるが、マイクロホン構造体６０を４方向以上の回転位置のいずれかに回転させたときクリック感が得られるように装置を構成することもできる。
【００６１】
また、上述した例は、指向性マイクロホン６１Ｃをステレオ用のマイクロホン６１Ｌ，６１Ｒの間に配置した場合であるが、指向性マイクロホン６１Ｃを左側または右側に配置してもよい。もちろん、その場合には、前方側透孔６３Ｃおよび後方側透孔６５Ｃを左側または右側に形成する。
【００６２】
さらに、マイクロホンとしては指向性マイクロホンのみをマイクロホン構造体に内蔵してもよく、指向性マイクロホン以外にカメラや照明用の光源などをマイクロホン構造体に設けることもできる。さらに、指向性マイクロホンとしては、上述した例の単一指向性マイクロホン以外に、両指向性マイクロホンなど、他の指向性を有するマイクロホンでもよい。
【００６３】
また、ＩＣレコーダとしては、内蔵メモリではなく、メモリカードに音声データを記録する構成としてもよい。
【００６４】
また、ＩＣレコーダではなく、磁気ディスク、光ディスクまたは光磁気ディスクなどの記録媒体に音声データを記録する音声記録再生装置にも、この発明を適用することができる。
【００６５】
さらに、マイクロホン構造体に内蔵された指向性マイクロホンからの音声信号を記録する装置に限らず、指向性マイクロホンからの音声信号を無線または有線で他の機器に送信する装置などにも、この発明を適用することができる。
【００６６】
【発明の効果】
上述したように、この発明によれば、指向性マイクロホンを内蔵したマイクロホン構造体を装置の筐体部に一定範囲内で回転させることができるように支持して、指向性マイクロホンの指向性方向を一定範囲内で変更することができるようにした場合に、指向性マイクロホンの後方側からもマイクロホン構造体内に音波を確実に導入することができ、指向性マイクロホンを確実に指向性を有するマイクロホンとして機能させることができる。
【図面の簡単な説明】
【図１】この発明の音声記録再生装置の一例としてのＩＣレコーダの外観構成を示す図である。
【図２】この発明のマイクロホン装置の一例を示す分解斜視図である。
【図３】マイクロホン構造体を支持ベースに支持した状態を示す図である。
【図４】フレキシブル基板の一例を示す図である。
【図５】フレキシブル基板の装置本体内の回路基板への接続を示す図である。
【図６】マイクロホン構造体の一端の支軸を支持アームに嵌め込むときの様子を示す図である。
【図７】指向性マイクロホンの指向性方向を０度方向または９０度方向としたときのマイクロホン構造体の状態を示す図である。
【図８】マイクロホン構造体の保持機構およびクリック機構を示す図である。
【図９】マイクロホン構造体の他端側の支持アームを示す図である。
【図１０】指向性マイクロホンの指向性方向を０度方向としたときのＩＣレコーダの上面および上部を示す図である。
【図１１】指向性マイクロホンの指向性方向を９０度方向としたときのＩＣレコーダの上面および上部を示す図である。
【図１２】ＩＣレコーダの機能ブロック構成の一例を示す図である。
【図１３】従来のＩＣレコーダの一例を示す図である。
【図１４】特許文献１に記載されたマイクロホン装置を示す図である。
【図１５】考えられるマイクロホン装置を示す図である。
【符号の説明】
主要部については図中に全て記述したので、ここでは省略する。
【図１】
2004254074.tif 000003
【図２】
2004254074.tif 000004
【図３】
2004254074.tif 000005
【図４】
2004254074.tif 000006
【図５】
2004254074.tif 000007
【図６】
2004254074.tif 000008
【図７】
2004254074.tif 000009
【図８】
2004254074.tif 000010
【図９】
2004254074.tif 000011
【図１０】
2004254074.tif 000012
【図１１】
2004254074.tif 000013
【図１２】
2004254074.tif 000014
【図１３】
2004254074.tif 000015
【図１４】
2004254074.tif 000016
【図１５】
2004254074.tif 000017